(57)【特許請求の範囲】
【請求項１】
番組を構成する第１の映像信号を受信する第１の受信部と、
前記第１の映像信号を高画質化するために用いられる第２の映像信号を受信する第２の受信部と、
前記第１の映像信号を復号して第１の映像を生成可能であり、前記第１の映像信号及び前記第２の映像信号を復号して前記第１の映像よりも高画質な第２の映像を生成可能であり、前記第１の映像及び前記第２の映像を符号化して出力できる符号化処理部と、
前記第１の映像及び前記第２の映像を符号化して記録するか、前記第１の受信部及び前記第２の受信部から前記第１の映像信号及び前記第２の映像信号を直接記録するかを制御する制御部と、を備える電子機器。
【請求項２】
前記制御部は、直接記録する際に前記第１の映像信号の録画に関連する第１の記録情報と前記第２の映像信号の録画に関連する第２の記録情報とを関連付ける管理情報を生成する請求項１の電子機器。
【請求項３】
前記制御部は、符号化して記録する際に前記符号化処理部を前記第１の映像及び前記第２の映像を符号化するように制御し、
前記符号化処理部は、符号化した前記第１の映像及び前記第２の映像を出力する請求項１の電子機器。
【請求項４】
前記制御部は、前記第２の映像を表示可能であることを示す識別子を表示する、請求項１乃至３のいずれか１の電子機器。
【請求項５】
前記制御部は、前記第１の映像及び前記第２の映像を符号化して記録するか、前記第１の受信部及び前記第２の受信部から前記第１の映像信号及び前記第２の映像信号を直接記録するかを選択できる請求項１乃至４のいずれか１の電子機器。
【請求項６】
前記第１の受信部は、放送波で伝送される前記第１の映像信号を受信可能であり、
前記第２の受信部は、放送波で伝送される前記第２の映像信号を受信可能である請求項１乃至５のいずれか１の電子機器。
【請求項７】
前記第１の受信部は、放送波で伝送される前記第１の映像信号を受信可能であり、
前記第２の受信部は、放送波又はネットワーク通信で伝送される前記第２の映像信号を受信可能である請求項１乃至５のいずれか１の電子機器。
【請求項８】
番組を構成する第１の映像信号を受信し、前記第１の映像信号を高画質化するために用いられる第２の映像信号を受信し、
前記第１の映像信号及び前記第２の映像信号を取得し、前記第１の映像信号を復号して第１の映像を生成し、前記第１の映像信号及び前記第２の映像信号を復号して前記第１の映像よりも高画質な第２の映像を生成可能し、前記第１の映像及び前記第２の映像を符号化して出力し、
前記第１の映像及び前記第２の映像を符号化して記録するか、前記第１の映像信号及び前記第２の映像信号を直接記録するかを制御する録画方法。
【請求項９】
直接記録する際に前記第１の映像信号の録画に関連する第１の記録情報と前記第２の映像信号の録画に関連する第２の記録情報とを関連付ける請求項８の録画方法。
【請求項１０】
符号化して記録する際に前記第１の映像及び前記第２の映像を符号化するように制御し、
符号化した前記第１の映像及び前記第２の映像を出力する請求項８の録画方法。
【請求項１１】
前記第２の映像を表示可能であることを示す識別子を表示する、請求項８乃至１０のいずれか１の録画方法。
【請求項１２】
前記第１の映像及び前記第２の映像を符号化して記録するか、前記第１の映像信号及び前記第２の映像信号を直接記録するかを選択できる請求項８乃至１１のいずれか１の録画方法。
【請求項１３】
前記第１の映像信号を受信する第１の受信部によって放送波で伝送される前記第１の映像信号を受信し、
前記第２の映像信号を受信する第２の受信部によって放送波で伝送される前記第２の映像信号を受信する請求項８乃至１２のいずれか１の録画方法。
【請求項１４】
前記第１の映像信号を受信する第１の受信部によって放送波で伝送される前記第１の映像信号を受信し、
前記第２の映像信号を受信する第２の受信部によって放送波又はネットワーク通信で伝送される前記第２の映像信号を受信する請求項８乃至１２のいずれか１の録画方法。
【発明の詳細な説明】
【技術分野】
【０００１】
本発明の実施形態は、電子機器、及び録画方法に関する。
【背景技術】
【０００２】
近年、現行のＨＤ（High Definition）（２Ｋ）放送の水平および垂直解像度の4倍もしくは8倍の解像度を持つ、いわゆる４Ｋ放送（3840×2160）や８Ｋ放送（7680×4320）の導入が国内の衛星放送などでも検討されている。
【０００３】
しかし、現行放送を維持しながら４Ｋ放送や８Ｋ放送を導入しようとすると大容量の放送帯域の新たな確保が必要となる。また、現行放送事業者が４Ｋ／８Ｋ放送サービスを提供する場合には映像解像度や符号化方式が異なるため、番組制作・サービス運用コストの負担増加が懸念される。
【０００４】
このため、たとえば、２０１４年７月にＭＰＥＧ（Moving Picture Experts group）で標準化された最新の映像符号化方式標準である、ＨＥＶＣ（High efiiciency Video Coding)規格（ISO/IEC23008-2）第２版の中で拡張規定されたＳＨＶＣ (Scalable High efiiciency Video Coding) (スケーラブルＨＥＶＣ)を適用することが検討されている。具体的には、ＨＤ信号のＭＰＥＧ−２  Ｖｉｄｅｏ映像符号化方式をベースとして、このデコード画像も参照画像として４Ｋ／８Ｋ信号のＨＥＶＣ符号化に拡張利用する、ＳＨＶＣ方式である。
【０００５】
このような新規サービスの追加、拡張、及び導入する際には、既存の受信機の中には想定外の動作を引き起こす懸念があり、現行放送仕様に準拠しながら追加拡張のサービスを導入することが困難になり得る。
【０００６】
また、４Ｋ／８Ｋ放送対応の受信機において、ＳＨＶＣ等による信号を受信再生する際には、メインチャンネル(現行放送信号（基準映像信号）)とサブチャンネル(拡張放送信号（拡張映像信号）)を並行してリアルタイム処理することになるため、受信機メインチャンネルとサブチャンネルとから高画質な映像を生成する処理負荷が高く、消費電力が増大するとともに、チャンネル切り替えてから高画質な映像が表示されるまでの遅延時間が発生し得る。
【先行技術文献】
【特許文献】
【０００７】
【特許文献１】特開２００６−２９５９１３号公報
【発明の概要】
【発明が解決しようとする課題】
【０００８】
本発明の実施形態が解決しようとする課題は、高画質映像を生成するための複数の映像信号を効率的に記録することができる電子機器、及び録画方法を提供することである。
【課題を解決するための手段】
【０００９】
本実施形態に係る電子機器は、番組を構成する第１の映像信号を受信する第１の受信部と、第１の映像信号を高画質化するために用いられる第２の映像信号を受信する第２の受信部と、第１の映像信号を復号して第１の映像を生成可能であり、第１の映像信号及び第２の映像信号を復号して第１の映像よりも高画質な第２の映像を生成可能であり、第１の映像及び第２の映像を符号化して出力できる符号化処理部と、第１の映像及び第２の映像を符号化して記録するか、第１の受信部及び第２の受信部から第１の映像信号及び第２の映像信号を直接記録するかを制御する制御部と、を備える。
【図面の簡単な説明】
【００１０】
【図１】図１は、第１の実施形態の送受信システムの一例を示す概要図である。
【図２】図２は、第１の実施形態の受信機の一例を示すブロック図である。
【図３】図３は、管理リストの一例を示す図である。
【図４】図４は、第１の実施形態の録画時における複数の映像の関連付け方法の一例を示す図である。
【図５】図５は、録画リストの一例を示す図である。
【図６】図６は、第１の実施形態の受信機の録画動作を示すフローチャートである。
【図７】図７は、第２の実施形態の受信機の一例を示すブロック図である。
【図８】図８は、第２の実施形態の録画処理部の一例を示すブロック図である。
【図９Ａ】図９Ａは、第２の実施形態の録画設定画面の一例を一連の流を示す図である。
【図９Ｂ】図９Ｂは、第２の実施形態の録画設定画面の一例を一連の流を示す図である。
【図９Ｃ】図９Ｃは、第２の実施形態の録画設定画面の一例を一連の流を示す図である。
【図１０】図１０は、第２の実施形態の受信機の録画動作を示すフローチャートである。
【図１１】図１１は、第３の実施形態の受信機の一例を示すブロック図である。
【図１２】図１２は、第３の実施形態の受信機の録画動作を示すフローチャートである。
【図１３】図１３は、第４の実施形態の送受信システムの一例を示すブロック図である。
【図１４】図１４は、第４の実施形態の受信機の録画番組の出力動作を示すフローチャートである。
【図１５】図１５は、変形例１の送受信システムの一例を示す概要図である。
【発明を実施するための形態】
【００１１】
以下、図面を参照して実施形態の説明をする。  
（第１の実施形態）  
図１は、第１の実施形態の送受信システム１の一例を示す概要図である。  
本実施形態の送受信システム１は、送信機（送信装置）３、および受信機（受信装置、電子機器、第１の受信機）５で構成されている。送受信システム１において、送信機３、および受信機５は、それぞれ有線及び／又は無線の放送及び通信の伝送路で接続されている。送受信システム１では、送信機３は、例えば、放送波やＩＰネットワークを媒体としてコンテンツを配信することができる。ここで、コンテンツは、例えば、テレビ番組（放送番組）、衛星放送番組、配信コンテンツ、映像、画像、音楽、及びプログラム等である。説明の便宜上、コンテンツを主にテレビ番組（以下、単に番組）として説明する。なお、映像信号は、他の情報が付帯されていてもよい。例えば、映像信号は、音声信号及び各種コンテンツに関連する各種情報が付帯されてものも含む。
【００１２】
送信機３は、放送局等に備えられる送信設備等であり、受信機５は、レコーダ、コンピュータの本体、又はサーバ等である。受信機５がレコーダ等の場合には、受信機５は、表示装置（ディスプレイ、第１の表示装置）１５０に接続され、この表示装置１５０に再生した映像等を表示することができる。また、受信機５がテレビジョン放送受信機である場合には、表示装置１５０は、受信機５と一体でテレビジョン（ＴＶ）受信機として構成されていてもよい。本実施形態において、受信機５は、２Ｋ（２Ｋ１Ｋ）、４Ｋ（４Ｋ２Ｋ）、及び／又は、８Ｋ（８Ｋ４Ｋ）対応ＴＶである。以下で、説明の便宜上、受信機５は、２Ｋ／４Ｋ対応ＴＶとして記載する。
【００１３】
送信機３は、入力される基映像（基映像信号）に種々の情報を付帯させてコンテンツを生成し、映像信号として送信する。送信機３は、それぞれの伝送路に出力する信号を各々の変換方式に対応する伝送方式で伝送する。こで、伝送方式は、放送方式、符号化方式、伝送の経路、伝送の方法、伝送帯域、及び回線の種類等を含む信号の伝送に関連する種々の手段（形式）である。
【００１４】
基映像は、撮像装置、例えば、カメラで撮像される高画質映像である。高画質映像は、例えば、４Ｋ（水平方向解像度３８４０／垂直方向解像度２１６０（または１４４０），フレームレート（映像周波数）６０Ｈｚ）の映像、または８Ｋ（水平方向解像度７６８０／垂直方向解像度４３２０、フレームレート１２０Ｈｚ）映像等の２Ｋ（水平方向の画素数が１９２０、垂直方向の画素数が１０８０，フレームレート６０Ｈｚ）の映像よりも高画質な映像である。
【００１５】
本実施形態において、送信機３は、ＳＨＶＣ (Scalable High efiiciency Video Coding)符号化方式をＨＤ（High Definition）放送に適用して構成されている。図１に示すように、ＳＨＶＣ方式の放送では、送信機３は、コンテンツを複数の映像信号、例えば、基準映像信号（第１の映像信号）と拡張映像信号（第２の映像信号）とに変換する。送信機３は、これらの複数の映像信号とこれら映像信号に対応する音声信号とを夫々異なる伝送路で伝送する。例えば、図１に示すように、送信機３は、伝送路１０１に含まれる複数の伝送路の内の異なる伝送路及び／又は異なる伝送方式で基準映像信号及び拡張映像信号と音声信号とを送信する。なお、送信機３は、同一の伝送路及び／又は同一の伝送方式で基準映像信号及び拡張映像信号と音声信号とを送信してもよい。伝送路１０１は、複数の伝送路の集合体である。伝送路１０１は、信号を伝送するための１以上の伝送路であればどのようなものであっても良く、放送波の帯域やＩＰネットワークの回線等を含む。
【００１６】
基準映像信号は、コンテンツである基準映像（第１の映像）を構成する信号であり、例えば、現行の地上デジタル放送波で放送されているＭＰＥＧ２により符号化された映像信号であっても良く、現行の地上デジタル放送波で放送されている映像信号と異なる映像信号であっても良い。
【００１７】
拡張映像信号は、基準映像信号を高画質化するために用いられる。拡張映像信号は、対応する基準映像信号を参照して基準映像信号を高画質な映像（高画質映像（第２の映像））に拡張するための信号である。
【００１８】
本実施形態に係る送信機３の動作について以下で説明する。  
送信機３は、基映像である高画質映像をダウンコンバートして符号化した基準映像信号（第１の映像信号）とこの基準映像信号を参照して符号化した拡張映像信号（第２の映像信号）とを生成する。送信機３は、所定の変換方式で変換した基準映像信号及び拡張映像信号を変調し、伝送路１０１に含まれるいずれかの伝送路に出力する。
【００１９】
送信機３は、ＭＰＥＧ―２符号化方式のエンコーダによって基準映像信号を生成し、ＳＨＶＣ符号化方式（スケーラブル符号化方式）のエンコーダ（ＳＨＶＣエンコーダ）によって拡張映像信号を生成している。ＳＨＶＣ符号化方式では、ＳＨＶＣエンコーダは、予測画像の生成に、インター予測（動き補償予測）、イントラ予測（画面内予測）、及びレイヤ間予測（画像間予測）のいずれかを実行できる。例えば、送信機３は、入力された基映像から基準映像（画像）信号（ＨＤ（２Ｋ）映像信号（第１の映像信号））と、拡張映像信号（４Ｋ映像用のＨＤ映像の補完映像（第２の映像信号））とを生成する。なお、拡張映像信号の多重化方式は、ＭＰＥＧ２−ＴＳ以外にもＭＭＴ，ＭＰＲＧ−ＤＡＳＨ等基準映像信号とは別の他の多重方式であってもよい。
【００２０】
送信機３から出力される基準映像信号は、ＰＳＩ／ＳＩ（第１のＰＳＩ／ＳＩ）、ＥＣＭ（Entitlement Control Message）／ＥＭＭ（Entitlement Management Message）（第１のＥＣＭ／ＥＭＭ）、および時間情報等を備えている。また、拡張映像信号は、ＰＳＩ／ＳＩ（第２のＰＳＩ／ＳＩ）、ＥＣＭ／ＥＭＭ（第２のＥＣＭ／ＥＭＭ）、および時間情報等を備えている。ここで、第１のＰＳＩ／ＳＩ及び第２のＰＳＩ／ＳＩは、同一のコンテンツ（または基映像）に関連する情報である。なお、第２のＰＳＩ／ＳＩは、ＰＭＴ内に異なる伝送路及び／又は異なる伝送方式で伝送される信号のＥＳを参照できるようにするための記述子（第１の選局制御情報）を含んでいてもよい。また、第２のＰＳＩ／ＳＩは、例えば、ＮＩＴに新たに基準映像信号及び拡張映像信号を関連付ける記述子（第２の選局制御情報）を含んでいてもよい。第２の選局制御情報は、異なる伝送路及び異なる伝送方式で伝送される信号の識別を可能にし、異なる伝送路及び異なる伝送方式で伝送される信号を参照することを可能にする。
【００２１】
ここで、ＥＣＭは、受信機５の制御に関する情報等の含む共通情報であり、ＥＭＭは、個人契約情報及び共通情報の暗号を解くための情報を含む個別情報である。  
ＰＳＩ及びＳＩは、ＰＡＴ（Program Association Table：プログラムアソシエーションテーブル）、ＰＭＴ（Program Map Table：プログラムマップテーブル）、ＮＩＴ（Network Information Table：ネットワーク情報テーブル）、ＣＡＴ（Conditional Access Table：限定受信テーブル）、及びＥＩＴ（Event Information Table:イベント情報テーブル）等を含む。ＰＡＴは、ストリームに含まれるプログラムを管理する情報である。ＰＭＴは、コンテンツを構成するオーディオ／ビデオ（Ａ／Ｖ）などのデータを管理する情報である。ＮＩＴは、ネットワーク関連の設定を管理する情報であり、チャンネル番号、変調方式、及びガードインターバル等の送信するネットワークに関連する情報を含む。ＣＡＴは、有料放送のための管理情報である。なお、以下で説明の便宜上、ＳＩをＰＳＩの一部としてＰＳＩと表現する場合もある。
【００２２】
時間情報は、例えば、ＰＴＳ（Presentation Time Stamp）、ＤＴＳ（Decoding Time Stamp）、システム時刻基準値（System Time Clock : STC）及びＳＣＲ（System Clock Reference）等を含む。
【００２３】
以下で、図面を参照して受信機５について詳細に説明する。  
図２は、第１の実施形態の受信機５の一例を示すブロック図である。  
本実施形態の受信機５は、アンテナ部１０４と、外部入力端子１０５と、外部出力端子１０６及び１０７と、入力部１１１と、復調部１１２と、信号処理部１１３と、システムコントローラ（システム制御部（制御部））１１４と、ＯＳＤ信号生成部１１５と、グラフィック処理部１１６と、映像処理部１１７と、音声処理部１１８と、音声出力部１１９（スピーカ）と、受信部１２０と、通信インターフェース１２１と、ネットワーク制御部１２２と、ＵＳＢ（Universal Serial Bus）インターフェース１２３と、ＨＤＭＩ（High-Definition Multimedia Interface(登録商標)）１２４と、操作部１２５と、記憶部１２９とを備えている。受信機５は、衛星及び／又は地上波（地上デジタル放送）放送によって送信機３から配信されるコンテンツの構成する信号を受信し、受信したコンテンツの構成する信号を変換してコンテンツとして表示する。また、受信機５は、外付け記憶部３０６と接続することもできる。
【００２４】
アンテナ部１０４は、放送波等を受信し、入力部１１１に出力する。例えば、アンテナ部１０４は、放送波として伝送路１０１を伝送される基準映像信号及び拡張映像信号を受信し、入力部１１１に出力する。  
外部入力端子１０５は、専用回線、端末機器及び／又は外部機器等と接続するための端子である。
【００２５】
外部出力端子（音声出力端子）１０６は、後述する音声処理部１１８から出力される音声信号を接続される音声機器に出力するための端子である。  
外部出力端子（映像出力端子）１０７は、後述する映像処理部１１７から出力される映像を接続される表示機器に出力するための端子である。
【００２６】
入力部１１１は、放送を受信するアンテナ及び受信信号を選択するチューナ等により構成される。入力部１１１は、複数のチューナ、例えば、図５に示すように、地上デジタル放送信号、ＢＳ（Broadcasting satellite）放送信号、及びＣＳ（Communications satellite）信号放送等に対応する８つのチューナを備えている。ここで、地上デジタル放送信号は、地上波放送であり、地上放送波として空間波や回線等で伝送される信号（基準映像信号及び拡張映像信号等）であり、ＢＳ及びＣＳ放送信号は、衛星波放送であり、衛星波として無線通信によって伝送される信号（基準映像信号及び拡張映像信号等）である。ここで
、地上放送波及び衛星波をまとめて放送波と称する場合もある。入力部１１１は、アンテナと接続し、放送事業者が放送用回線及び／又は空間波により供給する番組等を受信する。例えば、入力部１１１は、複数のチューナを備えている場合、これの番組を構成する信号を少なくとも１つのチューナで受信する。また、入力部１１１は、受信した信号を復調部１１２に出力する。入力部１１１は、外部入力端子１０５からも信号を取得することができる。
【００２７】
なお、入力部１１１のチューナは、少なくとも１つの基準映像信号を受信するチューナと、少なくとも１つの拡張映像信号を受信するチューナとを備えている。第１の受信部と第２の受信部とは、システムコントローラ１１４によって任意に設定されてもよいし、ユーザが選択的によって設定されてもよい。このとき、第２の受信部は、ユーザ又はシステムコントローラ１１４によって未使用のチューナに設定されてもよい。例えば、第１の受信部及び第２の受信部は、両方とも放送波による信号を受信可能であってもよい。また、第１の受信部は、放送波で伝送される信号を受信可能であり、第２の受信部は、放送波又はインターネット回線（ネットワーク通信）で伝送される信号を受信可能であってもよい。または、第１の受信部は、放送波又はインターネット回線（ネットワーク通信）で伝送される信号を受信可能であり、第２の受信部は、放送波で伝送される信号を受信可能であってもよい。さらに、第１の受信部及び第２の受信部は、放送波又はインターネット回線（ネットワーク通信）で伝送される信号を受信可能であってもよい。なお、インターネット回線を単に通信と表現する場合もある。
【００２８】
復調部１１２は、変調されている信号を復調する。復調部１１２は、複数のチューナに対応する複数の復調部を備えている。復調部１１２は、例えば、伝送路で伝送するために適合するように変調された基準映像信号及び拡張映像信号と音声信号とを夫々復調し、基準信号（ＴＳ信号）、拡張映像信号（ＴＳ信号）、およびこれらの信号に対応する音声信号をそれぞれ信号処理部１１３へ出力する。なお、復調部１１２は、入力部１１１と一体に形成されていてもよい。
【００２９】
信号処理部１１３は、受信した放送信号に多重化されている番組付帯情報を分離し、分離した番組付帯情報を映像処理部１１７に出力するとともに、記録ストリームをシステムコントローラ１１４に出力する。記録ストリームは、信号処理部１１３において入力部１１１で受信した放送ストリームから番組付帯情報を分離した情報である。信号処理部１１３は、ＳＨＶＣに対応するデコーダを備えている。信号処理部１１３は、入力部１１１から取得した放送の信号（放送信号及び拡張放送信号）を映像信号（ビデオ）（第１のＴＳ信号及び第２のＴＳ信号）と音声信号（オーディオ）と表示制御情報とに分離する。さらに、信号処理部１１３は、第１のＴＳ信号及び第２のＴＳ信号に対して復元処理（復号処理）を実行する。信号処理部１１３は、ＣＰＵ１３１の指示信号に従って、復元処理によって生成した基準映像信号及び高画質映像信号をグラフィック処理部１１６へ出力する。ここで、基準映像信号は、例えば、現行のＨＤ放送で伝送される２Ｋ映像に対応する映像信号である。また、高画質映像信号は、例えば、４Ｋ又は８Ｋ映像に対応する映像信号である。信号処理部１１３は、ＣＰＵ１３１の指示信号に従って音声信号を音声処理部１１８に出力する。
【００３０】
システムコントローラ（システム制御部）１１４は、受信機５の各部の動作を制御する。すなわち、システムコントローラ１１４は、入力部１１１、復調部１１２、信号処理部１１３、ＯＳＤ信号生成部１１５、グラフィック処理部１１６、映像処理部１１７、音声処理部１１８、音声出力部１１９、受信部１２０、通信インターフェース（Ｉ／Ｆ）１２１、ネットワーク制御部１２２、ＵＳＢインターフェース（Ｉ／Ｆ）１２３、ＨＤＭＩ１２４、操作部１２５、及び記憶部１２９等を制御する。
【００３１】
システムコントローラ１１４は、受信部１２０が受信するリモコン端末（リモートコントローラ（リモコン））３０２、外付け記憶部３０６や携帯型端末、例えば、スマートフォン、携帯電話、タブレット、及びノートＰＣ等からの入力信号（操作指示信号）に対応する各種の制御コマンドを出力する。ここで、制御コマンドとは、例えば、テレビ方法（番組）の録画、録画されたコンテンツ（番組）の再生、等を指示するコマンドである。
【００３２】
また、システムコントローラ１１４は、ＣＰＵ１３１と、ＲＯＭ（Read Only Memory）１３２と、ＲＡＭ（Random Access Memory）１３３と、ＮＶＭ(Non-Volatile Memory)１３４と、録画管理部１３６と、再生管理部１３７とを含む。  
ＣＰＵ１３１は、動作を制御するメインプロセッサである。ＣＰＵ１３１は、ＲＯＭ１３２、およびＮＶＭ１３４等に含まれる設定情報を読み込んで実行することができる。また、ＣＰＵ１３１は、システムコントローラ１１４に含まれる複数の回路もそれぞれ制御する。ＣＰＵ１３１は、受信機５の本体に設けられた操作部１２５からの操作情報、またはリモコン３０２から送信され受信部１２０で受信された操作情報を受けることにより、それら操作情報の操作内容が反映されるように受信機５の各部をそれぞれ制御する。
【００３３】
ＲＯＭ（読取専用メモリ）１３２は、システムコントローラ１１４（ＣＰＵ１３２）が実行する制御プログラムを保持する。  
ＲＡＭ（ランダムアクセスメモリ（ワークメモリ））１３３は、システムコントローラ１１４（ＣＰＵ１３２）に作業エリアを提供する。
【００３４】
ＮＶＭ（不揮発性メモリ）１３４は、受信機５の各種の設定情報および制御情報等を保持する。また、不揮発性メモリ１３４は、番組表の構築内容情報を保持することもできる。例えば、不揮発性メモリ１３４は、各種表示する表示画面の設定情報を備えている。
【００３５】
録画管理部１３６は、ＣＰＵ１３１に従って受信機５の録画動作を管理する。また、録画管理部１３６は、ＣＰＵ１３１から録画を実行する信号を受けた場合に、録画するコンテンツ（テレビ番組等）の管理リスト（管理情報）及び録画リスト（録画リスト）を作成する。録画管理部１３６は、基準映像信号およびこの基準映像信号に対応する拡張映像信号を関連付ける機能を備える。録画管理部１３６は、作成した管理リスト及び録画リストを記憶部１２９に記憶する。なお、管理リスト及び録画リストは、記憶部１２９以外に記憶されていてもよい。例えば、管理リスト及び録画リストは、ＮＶＭ１３４に記憶されていてもよい。
【００３６】
図３は、管理リストの一例を示す図である。管理リストは、コンテンツの詳細情報（番組ＩＤ、タイトル、シリーズＩＤ）、録画した日時情報（録画日、開始時刻、終了時刻）、視聴履歴、保存場所を示すリンク情報、及び拡張映像信号に関連する情報である拡張情報を含んでいる。図３において、参照符号Ｌ１は、番組ＩＤを示し、参照符号Ｌ２は、録画番組のタイトルを示し、参照符号Ｌ３は、番組のシリーズＩＤを示し、参照符号Ｌ４は、番組の録画日を示し、参照符号Ｌ５は、番組の録画開始時刻を示し、参照符号Ｌ６は、番組の録画終了時刻を示し、参照符号Ｌ７は、録画番組の視聴履歴を示し、参照符号Ｌ８は、リンク情報を示し、参照符号Ｌ９は、拡張情報を示す。拡張情報は、録画した番組の基準映像信号（録画映像信号）に対応する拡張映像信号の保存ファイルに関連する情報である。拡張情報は、例えば、録画映像信号に対応する拡張映像信号の保存ファイル名、保存ファイルの場所、ファイルの保存時刻の情報やアクセス情報等を含んでいる。
【００３７】
図４は、本実施形態の録画時における複数の映像の関連付け方法の一例を示す図である。  
本実施形態において録画管理部１３６は、再生時にランダムアクセス又はトリック・モード（早送り、巻き戻し、途中からの再生、逆転再生など）を可能にするように基準映像信号と拡張映像信号とを関連付ける。例えば、録画管理部１３６は、基準映像信号のＩフレーム（Intra-Picture：Ｉｎｔｒａ符号化画像（フレーム内符号化画像））と拡張映像信号のＩフレームとをテーブルとして保持する。この場合、録画管理部１３６は、基準映像信号及び拡張映像信号の各Ｉフレームのシーケンスヘッダも関連付けられている。図４に示すように、録画管理部１３６は、例えば、同一の画像を構成する夫々のＧＯＰ（Group of Pictures）のＩフレームを対応付けてテーブルに記録する。
【００３８】
図５は、録画リストの一例を示す図である。録画リストは、番組に関連する情報を含む録画番組の一覧表を示す画像等である。録画リストは、ユーザ操作によって画面上に表示される。図４において、参照符号Ｇ１は、表示画面に表示される録画リストの画像であり、参照符号Ｂ１は、録画番組を示す画像又はボタンであり、参照符号Ｂ２は、高画質映像の有無や、基準映像と高画質映像との切り替えを実行するためのボタンであり、参照符号Ｂ３は、さらに現在表示されている以外の録画番組を表示するためのボタンである。図５に示す表示画面は、ＣＰＵ１３１によって処理されている。
【００３９】
再生管理部１３７は、管理リスト及び録画リストを読み出して、映像を再生する。再生管理部１３７は、ＣＰＵ１３１から録画コンテンツの再生を指示する信号を受けた場合に、管理リスト及び録画リストを読み出して再生する録画番組、再生時刻、再生履歴及び再生位置等を管理する。例えば、再生管理部１３７は、録画番組が再生された場合には、図３に示した視聴履歴等を更新するために管理リストに記録することもできる。
【００４０】
ＯＳＤ信号生成部１１５は、ＯＳＤ（On Screen Display）信号を生成する。ＯＳＤ信号生成部１１５は、生成したＯＳＤ信号をグラフィック処理部１１６に出力する。
【００４１】
グラフィック処理部１１６は、信号処理部１１３から供給されるデジタルの映像に、ＯＳＤ信号生成部１１５で生成されるＯＳＤ信号を重畳して出力する機能を有する。このグラフィック処理部５８は、信号処理部１１３の出力映像信号と、ＯＳＤ信号生成部１１５の出力ＯＳＤ信号とを選択的に出力すること、また、両出力を組み合わせて出力することができる。
【００４２】
映像処理部１１７は、映像信号を表示可能な所定の解像度及び出力方式に変換し、変換した映像信号を出力する。例えば、表示装置１５０が受信機５に接続されている場合、映像処理部１１７は、表示装置１５０での表示に適した解像度及び出力方式に変換し、表示装置１５０へ出力する。映像処理部１１７は、外部機器として接続される外部モニタ装置あるいは投影装置（プロジェクタ装置）等の出力端に前述の映像信号を出力してもよい。
【００４３】
音声処理部１１８は、入力部１１１が受信する番組の音声／音響信号（オーディオ）をデコードし、音声出力部１１９に出力する。  
音声出力部１１９は、音声を出力する機器等であり、例えば、スピーカ等である。
【００４４】
受信部１２０は、外部端末、例えば、リモコン３０２、及び携帯型端末等からの入力信号に対応する制御コマンドをシステムコントローラ１１４に入力する。
【００４５】
通信インターフェース１２１は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダー（読取部）３０４等との通信もできる。
【００４６】
ネットワーク制御部１２２は、外部ネットワーク、例えば、インターネット（ＩＰネットワーク）へのアクセスを制御する。ネットワーク制御部１２２は、インターネット（ＩＰネットワーク）上で情報の送受信（ネットワーク通信）を実行する。例えば、ネットワーク制御部１２２は、ＩＰネットワークを介して拡張映像の情報を受信することもできる。この場合、ネットワーク制御部１２２は、ＣＰＵ１３２の指示信号に従って入力部１１１に拡張映像信号に入力する。なお、ネットワーク制御部１２２は、基準映像信号及び／又は拡張映像信号を受信し、入力部１１１に出力していてもよい。
【００４７】
ＵＳＢインターフェース１２３は、例えば、ＵＳＢ規格に準拠する外部機器、例えば外付けの記憶媒体である外付け記憶部３０６等が接続される。  
ＨＤＭＩ１２４は、ＨＤＭＩ規格またはＭＨＬ（Mobile High-definition Link）規格を利用する複数の機器の間の有線通信を可能にする。  
操作部１２５は、ユーザによる直接操作に対応する制御コマンドをシステムコントローラ１１４に入力する。
【００４８】
記憶部１２９は、データを記憶するための記憶媒体である。記憶部１２９は、磁気記憶媒体、例えば、ＨＤＤ（Hard Disk Drive）である。記憶部１２９は、受信機５の各種設定情報及び受信したコンテンツ、表示装置１５０に表示される映像等を記録する。記憶部１２９は、復調部１１２に接続され、入力部１１１で受信されたコンテンツを記憶する。例えば、記憶部１２９は、基準映像信号と拡張映像信号とを再生可能なように関連付けて記憶する。このとき記憶部１２９は、録画されるときにＣＰＵ１３１によって生成される録画されるコンテンツの管理リストを生成する。なお、記憶部１２９は、外部機器としてＵＳＢインターフェース１２３を介して接続されていてもよい。
【００４９】
図６は、本実施形態の受信機５の録画動作を示すフローチャートである。  
リモコン３０２等を介したユーザ操作によって番組の録画が実行されると、Ｓ３０１においてＣＰＵ１３１は拡張映像信号の有無を検出する。
【００５０】
拡張映像信号が検出された場合（Ｓ３０１のＹＥＳ）、Ｓ３０２において、録画管理部１３６は、録画番組の基準映像信号の関連情報とこの基準映像信号に対応する拡張映像信号の関連情報とを関連付けて管理リストに記録する。録画管理部１３６は、基準映像信号及び拡張映像信号に関連する音声情報をこれらの信号に関連付けて管理リストに記録する。このとき、録画管理部１３６は、基準映像信号の音声情報と拡張映像信号の音声情報とが異なる音声情報の場合には、映像と同様に関連付けて管理リストに記録する。
【００５１】
Ｓ３０３において、録画管理部１３６は、復調部１１２から基準映像信号および拡張映像信号をそれぞれの記録媒体における所定の記録場所に記録する。例えば、復調部１１２から録画管理部１３６は、記憶部１２９の異なる場所に基準映像信号及び拡張映像信号を夫々保存してもよいし、外付け記憶部３０６が接続されている場合には外付け記憶部３０６に記憶してもよい。また、基準映像信号および拡張映像信号は、それぞれ、記憶部１２９及び外付け記憶部３０６のいずれか一方または両方に保存されてもよい。
【００５２】
Ｓ３０６において、録画管理部１３６は、録画リストに録画番組の関連情報を記録する。
【００５３】
拡張映像信号が検出されない場合（Ｓ３０１のＮＯ）、Ｓ３０４において、録画管理部１３６は、録画番組の基準映像信号の関連情報を管理リストに記録する。録画管理部１３６は、基準映像信号に関連する音声情報と基準映像信号とを関連付けて管理リストに記録する。
【００５４】
Ｓ３０５において、録画管理部１３６は、復調部１１２から基準映像信号を記録媒体の所定の記録場所に記録し、Ｓ３０６の処理へ進む。例えば、録画管理部１３６は、復調部１１２から記憶部１２９の所定の場所に基準映像信号を記憶してもよいし、外付け記憶部３０６が接続されている場合には外付け記憶部３０６に記憶してもよい。
【００５５】
本実施形態によれば、受信機５は、システムコントローラ１１４に録画管理部１３６を備える。録画管理部１３６は、録画番組の途中から再生等を可能であるように管理リスト及び録画リストを作成する。再生管理部１３７は、管理リスト及び録画リストから各種情報を読み出して、映像を再生する。受信機５は、ユーザの所望の位置から映像を再生することができる。その結果、本実施形態の受信機５は、高画質映像を生成するための複数の映像信号を効率的に記録及び再生することができる。
【００５６】
次に他の実施形態に係る送受信システムについて説明する。他の実施形態において、前述した実施形態と同一の部分には同一の参照符号を付してその詳細な説明を省略する。  
（第２の実施形態）  
第２の実施形態の受信機５は、第１の実施形態の受信機５とほぼ同等の構成であるが、ＳＨＶＣデコーダを備えていない再生機器でも再生可能に記録できる構成をさらに備えている。
【００５７】
図７は、第２の実施形態の受信機５の一例を示すブロック図である。  
第２の実施形態の受信機５は、信号処理部１１３に録画処理部（符号化処理部）２２１をさらに備えている。また、システムコントローラ１１４（ＣＰＵ１３１）は、後述する信号処理部１１３の録画処理部２２１の各部に接続され、録画処理部２２１の処理を制御する。
【００５８】
図８は、第２の実施形態の録画処理部２２１の一例を示すブロック図である。図３では、２種類の線が示されているが、２重線は、コンテンツの信号、例えば、映像信号を含む信号の入出力を示し、実線は、映像信号を含まない、例えば、制御信号及び情報（信号）を含む信号の入出力を示す。  
録画処理部２２１は、複数の映像信号を復号した映像から高画質映像を生成し、この生成された高画質映像を再度符号化（圧縮）し、且つ各種の情報を多重化する処理を実行する。本実施形態において、録画処理部２２１は、基準映像信号及び高画質映像信号を復号した映像から高画質映像信号を生成し、この生成された高画質映像をＳＨＶＣ符号化する。録画処理部は、再度符号化した高画質映像、ＰＳＩ／ＳＩ情報及び音声情報等を多重化し、記録媒体、例えば、記憶部１２９に出力する。
【００５９】
録画処理部２２１は、入力端子６０、８０と、Ｉ／Ｐ変換スケーラ７７と、ビデオエンコーダ７８と、多重化部７９と、外部出力端子（出力端子）９０と、第１の信号処理部６０１と、第２の信号処理部６０２と、を備えている。なお、第１の信号処理部６０１及び第２の信号処理部６０２において、システム時刻基準値（System Time Clock : STC）は、共通である。なお、前述のように、録画処理部２２１は、各部がＣＰＵ１３１によって制御処理されている。すなわち、ＣＰＵ１３１は、Ｉ／Ｐ変換スケーラ７７、多重化部７９、第１の信号処理部６０１、および第２の信号処理部６０２等を制御する。
【００６０】
入力端子６０は、録画処理部２２１に基準映像信号を入力するための端子である。入力端子６０から入力された基準映像信号は、後述する第１の信号処理部６０１に入力される。入力端子８０は、録画処理部２２１に拡張放送信号を入力するための端子である。入力端子８０から入力された拡張映像信号は、後述する第２の信号処理部６０２に入力される。
【００６１】
Ｉ／Ｐ変換スケーラ７７は、インターレース（Interlace）映像信号をプログレッシブ（Progressive）映像信号に変換し、且つ入力される映像信号の解像度等をスケーリングする。本実施形態において、Ｉ／Ｐ変換スケーラ７７は、インターレース映像信号をプログレッシブ映像信号に変換し、入力される映像信号の解像度、画面サイズ及び色帯域をアップコンバートする。例えば、Ｉ／Ｐ変換スケーラ７７は、デコーダ６４によって復号処理された基準映像信号をプログレッシブ映像信号に変換し、アップコンバート、例えば、２Ｋ映像信号の解像度を４Ｋ映像信号の解像度に変換する。
【００６２】
第１の信号処理部６０１は、入力端子６０から入力される基準映像信号を復号し、出力する。第１の信号処理部６０１は、例えば、入力端子６０から入力される符号化された２Ｋ映像信号を復号し、ＣＰＵ１３１の指示信号に従ってＩ／Ｐ変換スケーラ７７及び／又はビデオエンコーダ７８へ出力する。また、第１の信号処理部６０１は、基準映像信号に付帯されている時間情報、音声情報及びその他の各種情報（ＰＳＩ／ＳＩ等）を多重化部７９に出力する。
【００６３】
第１の信号処理部６０１は、第１の多重化分離部６２と、デコーダ６４とを備えている。  
第１の多重化分離部６２は、入力された信号を各種情報（信号）と映像信号と音声信号に分離し、分離した各種信号を出力する。また、第１の多重化分離部６２は、設定されたフィルタ条件を満たす信号のみを取り込むＰＩＤフィルタ（第１のＰＩＤフィルタ）６４１を備える。第１の多重化分離部６２は、ＣＰＵ１３２の指示信号に従ってＰＩＤフィルタ６４１の値を設定することができる。
【００６４】
また、第１の多重化分離部６２は、入力される信号に付帯される情報からＰＡＴを取り出す。そして、第１の多重化分離部６２は、ユーザ操作、例えば、リモコン３０２等によって指定された番組のＰＭＴに対応するＰＩＤを取得し、このＰＩＤで指定されたＰＭＴを取得する。第１の多重化分離部６２は、このＰＭＴで指定された映像信号、音声信号、及び各種情報（ＰＳＩ／ＳＩ等）を取得する。
【００６５】
さらに、第１の多重化分離部６２は、入力された信号に暗号化解除の処理を実行する。第１の多重化分離部６２は、暗号化を解除した映像信号、音声信号、及び各種情報等をデコーダ６４又は多重化部７９へ出力する。  
また、第１の多重化分離部６２は、ＣＰＵ１３１の指示信号に従って、同一の信号におけるＥＳだけではなく、異なる信号、例えば、拡張映像信号内のＰＳＩに含まれるＰＭＴを参照しているのと同等の処理が可能になり、拡張映像信号内のＥＳを参照することができる。なお、第１の多重化分離部６２は、拡張映像信号内のＰＳＩを参照しなくともよい。また、第１の多重化分離部６２は、基準映像信号のＰＳＩ／ＳＩ等の情報のみを参照するように構成されていてもよい。
【００６６】
デコーダ６４は、入力された信号のパケット化を解いて、パケット化を解いた信号の復号処理を実行する。デコーダ６４は、符号化された基準映像信号を復号し、復号した基準映像信号をＩ／Ｐ変換スケーラ７７及び／又はビデオエンコーダ７８へ出力する。以下で、基準映像の解像度を第１の解像度と称する場合もある。デコーダ６４は、例えば、ＭＰＥＧ―２符号化形式で符号化された信号を復号し、復号した２Ｋ映像信号をＩ／Ｐ変換スケーラ７７及び／又はビデオエンコーダ７８へ出力する。
【００６７】
第２の信号処理部６０２は、入力端子８０から入力される拡張映像信号を復号し、後述する多重化部７９へ出力する。第２の信号処理部６０２は、例えば、入力端子８０から入力される符号化された拡張映像信号を復号する。そして、第２の信号処理部６０２は、Ｉ／Ｐ変換スケーラ７７を介して第１の信号処理部６０１から入力される映像信号と拡張映像信号とを参照することによって高画質映像信号へ拡張（生成）する。第２の信号処理部６０２は、ＣＰＵ１３１の指示信号に従って生成した高画質映像信号を多重化部７９に出力する。また、第２の信号処理部６０２は、拡張映像信号に付帯されている時間情報、音声情報及びその他の各種情報（ＰＳＩ／ＳＩ等）も多重化部７９に出力する。
【００６８】
第２の信号処理部６０２は、第２の多重化分離部８２と、ＳＨＶＣデコーダ８４とを備えている。  
第２の多重化分離部８２は、入力される信号を各種情報（信号）と映像信号と音声信号に分離し、分離した各種信号を出力する。第２の多重化分離部８２は、設定されたフィルタ条件を満たす信号のみを取り込むＰＩＤフィルタ（第２のＰＩＤフィルタ）６４２を備える。第２の多重化分離部８２は、ＣＰＵ１３２の指示信号に従ってＰＩＤフィルタ６４２の値を設定することができる。第２の多重化分離部８２は、第１の多重化分離部６２と同様に、映像信号、音声信号及び各種情報（ＰＳＩ／ＳＩ等）を取得する。
【００６９】
第２の多重化分離部８２は、入力された信号に暗号化解除の処理を実行する。第２の多重化分離部８２は、暗号化を解除した映像信号、音声信号、及び各種情報等をＳＨＶＣデコーダ８４、又は多重化部７９へ出力する。
【００７０】
第２の多重化分離部８２は、ＣＰＵ１３１の指示信号に従って、同一の信号におけるＥＳだけではなく、異なる信号、例えば、基準映像信号内のＰＳＩに含まれるＰＭＴを参照しているのと同等の処理が可能になり、基準映像信号内のＥＳを参照することができる。第２の多重化分離部８２は、拡張映像信号のＰＳＩ／ＳＩ等の情報のみを参照するように構成されていてもよい。
【００７１】
第２の多重化分離部８２は、暗号化を解除した映像信号、音声信号、及び各種情報等をＳＨＶＣデコーダ８４又は多重化部７９へ出力する。
【００７２】
ＳＨＶＣデコーダ８４は、入力される信号のパケット化を解いて、パケット化を解いた信号に復号処理を実行する。本実施形態において、ＳＨＶＣデコーダ８４は、入力されるスケーラブル符号化（ＳＨＶＣ（ＭＰＥＧ−ＨＥＶＣ  Ｖｉｄｅｏ）符号化）された映像信号の復号処理を実行する。ＳＨＶＣデコーダ８４は、ＳＨＶＣ符号化方式に対応して、拡張予測画像の復号際に、インター予測（動き補償予測）、イントラ予測（画面内予測）、及びレイヤ間予測（画像間予測）のいずれかを実行できる。例えば、ＳＨＶＣデコーダ８４は、Ｉ／Ｐ変換スケーラ７７から出力される映像信号と拡張映像信号とを参照してレイヤ間予測することによって高画質映像信号、例えば、４Ｋ映像信号を生成し、生成した高画質映像信号をビデオエンコーダ７８に出力する。
【００７３】
ビデオエンコーダ７８は、入力される映像信号をエンコード（符号化（圧縮））する。ビデオエンコーダ７８は、例えば、ＳＨＶＣ方式又はＨＥＶＣ方式の符号化処理を実行する。ビデオエンコーダ７８は、符号化した映像信号（符号化映像信号）を多重化部７９へ出力する。ビデオエンコーダ７８は、エンコードする際に、ビットレートの変換、色域変換（例えば、ＢＴ．２０２０→ＢＴ．７０９など）、ビットデプス（ビット深度）変換（１０bit→８bitなど）の各種変換を実行できる。
【００７４】
多重化部７９は、符号化映像データに第１及び第２の多重化分離部１２、２２で分離された映像データ以外の音声データやＳＩ／ＰＳＩ等のデータと共に１本のＡＶストリームに多重化される。多重化部７９は、録画管理部１３６に従って多重化されたＡＶストリームを外部出力端子９０を介して出力し、記憶部１２９へ記録する。なお、多重化部７９は、基準映像信号及び拡張映像信号の各種情報が同一である場合に、取得できな情報を多重化する。例えば、多重化部７９は、ビデオエンコーダ７８から高画質映像信号が入力されたが、第２の信号処理部６０２からＰＳＩ／ＳＩ情報及び／又は音声信号を取得できず、且つ第１の信号処理部６０１からＰＳＩ／ＳＩ情報及び／又は音声信号を取得できた場合には、取得できた情報を高画質映像信号に多重化する。
【００７５】
記憶部１２９に記録されたＡＶストリームは、再生管理部１３７によって読み出され、映像処理部１１７で映像データと音声データに分離される。分離された映像データ及び音声データは、それぞれ、映像処理部１１７及び音声処理部１１８に入力され、復号デコードされる。
【００７６】
図９Ａ、図９Ｂ及び図９Ｃは、本実施形態の録画設定画面の一例を一連の流を示す図である。図９Ａは、表示装置１５０に画像１５０Ｄが表示されている図である。図９Ｂは、表示画像１５０Ｄ上に種々の操作するためのポップアップＰ１が表示されている図である。図９Ｃは、表示画像１５０Ｄ上に録画設定画面Ｐ２が表示されている図である。なお、図９Ａ乃至図９Ｃに示されるポップアップは、ＣＰＵ１３１によって処理されている。
【００７７】
例えば、リモコン３０２等を介したユーザ操作によって図９Ａの画面上に図９ＢのポップアップＰ１が表示される。図９ＢのポップアップＰ１について、ユーザはリモコン３０２を介し矢印キー等で“録画設定”を選択する。このとき図９Ｂに示されるポップアップＰ１が消え、図９Ｃに示されるポップアップＰ２が表示される。ユーザはリモコン３０２を介して、ＨＤ映像（基準映像）を直接、記憶部１２９に録画（ダイレクト録画）するか、圧縮（エンコード）して記憶部１２９に録画（圧縮録画）するかを選択できる。同様に、ユーザは、４Ｋ映像（高画質映像）を直接、記憶部１２９に録画（ダイレクト録画）するか、圧縮（エンコード）して記憶部１２９に録画（圧縮録画）するかを選択できる。なお、ダイレクト録画にするか、圧縮録画にするかの選択は、番組のジャンル毎に設定できてもよいし、録画時刻毎に設定できてもよいし、記録媒体に残りの容量毎に設定できてもよい。
【００７８】
図１０は、本実施形態の受信機５の録画動作を示すフローチャートである。  
リモコン３０２等を介したユーザ操作によって番組の録画が実行されると、Ｓ１００１において、ＣＰＵ１３１は拡張映像信号の有無を検出する。  
拡張映像信号の有無を検出できない場合（Ｓ１００１のＮＯ）、録画管理部１３６は、ダイレクト録画に設定されているか圧縮録画に設定されているかを検出する。
【００７９】
圧縮録画に設定されている場合（Ｓ１００２のＮＯ）、Ｓ１００３において、録画管理部１３６は、録画番組の基準映像信号の関連情報を管理リストに記録する。録画管理部１３６は、基準映像信号に関連する音声情報と基準映像信号とを関連付けて管理リストに記録する。
【００８０】
Ｓ１００４において、第１の信号処理部６０１のデコーダ６４は、録画管理部１３６の指示信号に従ってビデオエンコーダ７８に基準映像信号を出力する。録画管理部１３６は、多重化部７９を介してＰＳＩ／ＳＩおよび音声情報等と多重化され、且つビデオエンコーダ７８でエンコードされた基準映像信号を記憶部１２９の所定場所に記憶し、Ｓ１０１２の処理を進む。
【００８１】
ダイレクト録画に設定されている場合（Ｓ１００２のＹＥＳ）、Ｓ１００５において、録画管理部１３６は、録画番組の基準映像信号の関連情報を管理リストに記録する。録画管理部１３６は、基準映像信号に関連する音声情報と基準映像信号とを関連付けて管理リストに記録する。
【００８２】
Ｓ１００６において、録画管理部１３６は、録画選択又は予約されたチャンネルの番組の基準映像信号を復調部１１２から記憶部１２９の所定の記録場所へ記憶し、Ｓ１０１２の処理へ進む。
【００８３】
拡張映像信号の有無を検出できない場合（Ｓ１００１のＹＥＳ）、録画管理部１３６は、ダイレクト録画に設定されているか圧縮録画に設定されているかを検出する。
【００８４】
ダイレクト録画に設定されている場合（Ｓ１００７のＹＥＳ）、Ｓ１００８において、録画管理部１３６は、録画番組の基準映像信号の関連情報を管理リストに記録する。録画管理部１３６は、基準映像信号に関連する音声情報と基準映像信号とを関連付けて管理リストに記録する。
【００８５】
Ｓ１００９において、録画管理部１３６は、録画選択又は予約されたチャンネルの番組の基準映像信号及び拡張映像信号の各々を復調部１１２から記憶部１２９の所定の記録場所へ記憶し、Ｓ１０１２の処理へ進む。
【００８６】
圧縮録画に設定されている場合（Ｓ１００７のＮＯ）、Ｓ１０１０において、録画管理部１３６は、録画番組の基準映像信号の関連情報を管理リストに記録する。録画管理部１３６は、基準映像信号に関連する音声情報と基準映像信号とを関連付けて管理リストに記録する。
【００８７】
Ｓ１０１１において、第２の信号処理部６０２のＳＨＶＣデコーダ８４は、録画管理部１３６の指示信号に従ってビデオエンコーダ７８に高画質映像信号を出力する。録画管理部１３６は、多重化部７９を介してＰＳＩ／ＳＩおよび音声情報等と多重化され、且つビデオエンコーダ７８でエンコードされた高画質映像信号を記憶部１２９の所定場所に記憶し、Ｓ１０１２の処理を進む。なお、高画質映像信号をエンコードして記憶部１２９に記録した場合、ＳＨＶＣに対応していない他の再生機器でも録画番組を再生することができる。
【００８８】
Ｓ１０１２において、録画管理部１３６は、録画リストに録画番組の関連情報を記録する。
【００８９】
本実施形態によれば、第２の実施形態の受信機５は、録画処理部２２１を備えている。受信機５は、２つの映像信号から１つの映像信号を生成にして、生成した映像を再度符号化して、記憶部１２９に記録する。本実施形態の受信機５は、記録する際に２本のストリームを関連付けて管理する必要がなくなる。また、本実施形態の受信機５は、再生時には２本のストリームをデコードする必要がなくなるので、映像が表示するまでの時間が短くなる。また、複数の信号で構成されているストリームを単一信号に構成しなおすことで、符号化効率が上がり、記録するデータサイズを小さくすることが可能になる。さらに、記録に再エンコードするので、ビットレート、色域、ビットデプスなどの各種映像パラメータを変換して記録することが可能になる。その結果、本実施形態の受信機５は、高画質映像を生成するための複数の映像信号を効率的に記録及び再生することができる。
【００９０】
本実施形態の受信機５は、現行の２Ｋ映像をエンコードすることによって記録容量を小さくすることもできる。
【００９１】
（第３の実施形態）  
第３の実施形態の受信機５は、前述の実施形態の受信機５とほぼ同等の構成であるが、ディスク等に記録する構成をさらに備えている。
【００９２】
図１１は、第３の実施形態の受信機５の一例を示すブロック図である。  
第３の実施形態の受信機５は、ディスクドライブ１２６を備えている。  
ディスクドライブ１２６は、挿入されたディスク４００に対して記録及び／又は再生を実行することができる。例えば、ディスクドライブ１２６は、ＣＤ(Compact Disc)ドライブ、ＤＶＤ(Digital Versatile Disc)ドライブ、及びＢｌｕ−ｒａｙ(登録商標)ドライブ等である。ディスク４００は、ＣＤ、ＤＶＤおよびＢｌｕ−ｒａｙディスク等である。
【００９３】
図１２は、本実施形態の受信機５の録画動作を示すフローチャートである。  
リモコン３０２等を介したユーザ操作によって番組の録画が実行されると、Ｓ１２０１において、ＣＰＵ１３１はディスク４００に録画するかどうかを検出する。  
ディスク４００に録画しない場合（Ｓ１２０１のＮＯ）、Ｓ１２０２において、録画管理部１３６は、録画番組の各種映像信号（基準映像信号、拡張映像信号、および高画質映像信号）をエンコードして記憶部１２９に記録する。
【００９４】
ディスク４００に録画する場合（Ｓ１２０１のＹＥＳ）、Ｓ１２０３において、録画管理部１３６は、録画番組の各種映像信号を復調部１１２から記憶部１２９に記録する。
【００９５】
Ｓ１２０２及びＳ１２０３において、録画管理部１３６は、前述のように管理リスト及び録画リストを作成する。
【００９６】
本実施形態によれば、受信機５は、録画する媒体に応じて適切な容量に変換して番組を録画することができる。
【００９７】
なお、複数の番組を同時に録画する際に、受信機５は、ダイレクト録画及び圧縮録画を選択できてもよい。また、複数の番組を同時に録画する際に、受信機５は、エンコードの負荷が高くなるため、ダイレクト録画のみを実行するように設定されていてもよい。
【００９８】
（第４の実施形態）  
第４の実施形態の受信機５は、前述の実施形態の受信機５とほぼ同等の構成であるが、家庭内ネットワーク等に接続されている場合の録画番組の出力に関連する構成をさらに備えている。
【００９９】
図１３は、第４の実施形態の送受信システム１の一例を示すブロック図である。  
第４の実施形態の送受信システム１は、前述の実施形態の送受信システム１の構成に加えて、第２の受信機５１と、第２の表示装置１５１と、第３の受信機１５２とをさらに備えている。
【０１００】
第２の受信機５１は、第１の受信機５とほぼ同等の構成である。第２の表示装置１５１は、第１の表示装置１５０とほぼ同等の構成である。第３の受信機１５２は、第１の受信機５と第１の表示装置１５０を組み合わせた構成とほぼ同等であるが、ＳＨＶＣ及びＨＥＶＣに対応していないものとする。
【０１０１】
第１の受信機５と第２の受信機５１と第３の受信機１５２とは、家庭内ネットワークで接続されている。なお、この家庭内ネットワークは、ＤＬＮＡ(Digital Living Network Alliance)に対応している。また、第２の受信機５１と第２の表示装置１５１とは、接続されている。
【０１０２】
図１４は、本実施形態の受信機５の録画番組の出力動作を示すフローチャートである。  
第１の受信機５と第２の受信機５１と第３の受信機１５２とが家庭内ネットワークで接続された場合、Ｓ１４０１において、第１の受信機５は、第２の受信機５１と第３の受信機１５２との各々のコーデックの種別を取得する。
【０１０３】
Ｓ１４０２において、第１の受信機５は、第２の受信機５１及び第３の受信機１５２の各々がエンコード形式に対応しているかどうかを検出する。例えば、第１の受信機５は、ＳＨＶＣ又はＨＥＶＣ形式に対応しているかを検出する。
【０１０４】
エンコード形式に対応していない場合（Ｓ１４０３のＮＯ）、受信機５は、ダイレクト録画した録画番組を出力する。例えば、受信機５は、エンコード形式に対応していない第３の受信機１５２にダイレクト録画した録画番組を出力する。
【０１０５】
エンコード形式に対応している場合（Ｓ１４０３のＹＥＳ）、受信機５は、圧縮録画した録画番組を出力する。例えば、受信機５は、エンコード形式に対応している第２の受信機５１に圧縮録画した録画番組を出力する。
【０１０６】
本実施形態によれば、受信機５は、エンコードに対応した接続機器に対して録画番組を提供することができる。
【０１０７】
前述の実施形態によれば、本実施形態によれば、受信機５は、システムコントローラ１１４に録画管理部１３６を備える。録画管理部１３６は、録画番組の途中から再生等を可能であるように管理リスト及び録画リストを作成する。再生管理部１３７は、管理リスト及び録画リストから各種情報を読み出して、映像を再生する。受信機５は、ユーザの所望の位置から映像を再生することができる。その結果、本実施形態の受信機５は、高画質映像を生成するための複数の映像信号を効率的に記録及び再生することができる。
【０１０８】
前述の実施形態において、基準映像信号および拡張映像信号は、それぞれ、異なる放送波を伝送する伝送路で伝送されるとしたが、伝送路としてインターネットで伝送されてもよい。例えば、図１５に示されるように、送受信システム１は、送信機（送信装置）３と、受信機（受信装置）５と、サーバ７と、で構成されている。送受信システム１において、送信機３、受信機５、及びサーバ７は、それぞれ有線及び／又は無線の放送及び通信の伝送路で接続されている。送受信システム１では、送信機３は、例えば、放送波を媒体として番組コンテンツを配信する。サーバ７は、インターネット回線を介して番組コンテンツを配信する。送受信システム１は、伝送路８０１、８０２および８０３を備えている。送受信システム１において、送信機３は、伝送路８０１と、サーバ７を経由して伝送路８０２及び伝送路８０３を介して伝送する伝送路とによって基準映像信号及び拡張映像信号を
伝送することができる。
【０１０９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【０１１０】
１…送受信システム、３…送信機（送信装置）、５…受信機（受信装置）、７…サーバ、６０，８０…入力端子、９０…出力端子、６２…第１の多重化分離部、６４…デコーダ、７７…Ｉ／Ｐ変換スケーラ、７８…ビデオエンコーダ、８２…第２の多重化分離部、８４…ＳＨＶＣデコーダ、９４…高画質化処理部、１０４…アンテナ部、１０５…外部入力端子、１０６、１０７…外部出力端子、１１１…入力部、１１２…復調部、１１３…信号処理部、１１４…システムコントローラ（システム制御部）、１１５…ＯＳＤ信号生成部、１１６…グラフィック処理部、１１７…映像処理部、１１８…音声処理部、１１９…音声出力部、１２０…受信部、１２１…通信インターフェース、１２２…ネットワーク制御部、１２３…ＵＳＢインターフェース、１２４…ＨＤＭＩ、１２５…操作部、１２９…記憶部、１５０…表示部、２２１…録画処理部、５０１…第１の信号生成部、５０２…第２の信号生成部、６０１…第１の信号処理部、６０２…第２の信号処理部、８０１…第１の伝送路、８０２…第２の伝送路、８０３…第３の伝送路。
【図１】
0006412794.tif 000002
【図２】
0006412794.tif 000003
【図３】
0006412794.tif 000004
【図４】
0006412794.tif 000005
【図５】
0006412794.tif 000006
【図６】
0006412794.tif 000007
【図７】
0006412794.tif 000008
【図８】
0006412794.tif 000009
【図９Ａ】
0006412794.tif 000010
【図９Ｂ】
0006412794.tif 000011
【図９Ｃ】
0006412794.tif 000012
【図１０】
0006412794.tif 000013
【図１１】
0006412794.tif 000014
【図１２】
0006412794.tif 000015
【図１３】
0006412794.tif 000016
【図１４】
0006412794.tif 000017
【図１５】
0006412794.tif 000018